(57)【要約】【課題】本発明ぱ釣り用バケツに関し、釣り具入れや撒き餌入れに用いる釣り用バケツ特有の使用状態を損なうことなく、釣り用の小物類等を収納することのできるポケットを設けた釣り用バケツを提供することを目的とする。【解決手段】請求項１に係る発明は、上部が開口するバケツ本体と、折り曲げ可能な柔軟性を有する合成樹脂シートで成形され、上記バケツ本体の開口部を開閉自在に覆う蓋体とからなる釣り用バケツに於て、上記蓋体の裏面に、当該蓋体と共に折り曲げ可能なポケットを設けたことを特徴とし、請求項２に係る発明は、請求項１記載の釣り用バケツに於て、ポケットは、蓋体の裏面に折り曲げ可能な柔軟性を有するシート材を添着して、当該シート材と蓋体との間に収納部を設けてなることを特徴とする。【選択図】      図５
2004267142.tif 000002
【特許請求の範囲】
【請求項１】
上部が開口するバケツ本体と、折り曲げ可能な柔軟性を有する合成樹脂シートで成形され、上記バケツ本体の開口部を開閉自在に覆う蓋体とからなる釣り用バケツに於て、
上記蓋体の裏面に、当該蓋体と共に折り曲げ可能なポケットを設けたことを特徴とする釣り用バケツ。
【請求項２】
ポケットは、蓋体の裏面に折り曲げ可能な柔軟性を有するシート材を添着して、当該シート材と蓋体との間に収納部を設けてなることを特徴とする請求項１記載の釣り用バケツ。
【請求項３】
ポケットは、蓋体の裏面に折り曲げ可能な柔軟性を有する複数枚のシート材を添着して、当該シート材間に収納部を設けてなることを特徴とする請求項１記載の釣り用バケツ。
【発明の詳細な説明】
【０００１】
【発明の属する技術分野】
本発明は、釣り具入れや撒き餌入れ等に使用される釣り用バケツに関する。
【０００２】
【従来の技術】
従来、釣り具入れや撒き餌入れに使用される釣り用バケツは、柔軟性，防水性を有する合成樹脂シートで成形されて上方が開口する箱状のバケツ本体と、同じく柔軟性，防水性を有する合成樹脂シートで成形されてバケツ本体の開口部を覆う蓋体と、釣り用バケツを運搬するためのハンドルやベルトを備えたものが広く知られており、通常、蓋体はその周縁部がバケツ本体の開口部に沿ってファスナで止着できるようになっている。
【０００３】
そして、この種の釣り用バケツは、釣りをしている最中に足元に置くことが多く、撒き餌入れとして使用する場合、いつでも撒き餌が掬えるようにファスナを半ばまで開けて蓋体を半折りし、蓋体に装着したフック同士を係合させて半開状態で使用できる構成が一般的である。
【０００４】
ところで、既述したように釣り用バケツは釣りの最中に身近に置かれるため、頻繁に使用する釣り用の小物等を収納可能としたり取付可能としておくと便利であるが、撒き餌入れとして使用すると中が汚れるため、一般にバケツ本体の外側に柄杓差し等の収納部やポケット等が設けられている（例えば、下記の特許文献１参照。）。
【０００５】
しかし、このようにバケツ本体の外側に収納部やポケット等を設けると、これらが外方に突出するため、釣糸等が引っ掛って釣りの障害となることがあった。
また、下記の特許文献２には、図１５に示すようにびく本体１の開口部３を覆う蓋体５を剛性枠７で縁取られた厚手の布地９で成形して、その裏面側に、内方へ突出する厚みのあるポケット１１を設けた釣り用のびく１３が開示されている。
【０００６】
【特許文献１】
実用新案登録第３００４５５７号公報（第１頁−第２頁、図１）
【特許文献２】
実公昭５０−１６９４２号公報（第１頁、第１図）
【０００７】
【発明が解決しようとする課題】
しかし乍ら、上記びく１３は、水中に足を浸して立ったまま釣りをする際に、剛性枠７の前方辺部１５に止着した懸吊用バンド１７を首に掛けることによって、蓋体５が直角に開いた状態でびく本体１が腹部前面に垂れ掛けることができるように構成したもので、釣り具入れや撒き餌入れに使用する釣り用バケツと使用目的を異にし、而も、このびく１３は蓋体５が剛性枠７で縁取られているため、蓋体５を折り曲げて半開状態で使用するといった釣り用バケツ特有の使用状態をとることができない。
【０００８】
また、これを足元に置き、蓋体５を全開状態で釣り用バケツとして使用すると、蓋体５が邪魔になって釣りの障害となってしまう欠点があった。
本発明は斯かる実情に鑑み案出されたもので、釣り具入れや撒き餌入れに用いる釣り用バケツ特有の使用状態を損なうことなく、釣り用の小物類等を収納することのできるポケットを設けた釣り用バケツを提供することを目的とする。
【０００９】
【課題を解決するための手段】
斯かる目的を達成するため、請求項１に係る発明は、上部が開口するバケツ本体と、折り曲げ可能な柔軟性を有する合成樹脂シートで成形され、上記バケツ本体の開口部を開閉自在に覆う蓋体とからなる釣り用バケツに於て、上記蓋体の裏面に、当該蓋体と共に折り曲げ可能なポケットを設けたことを特徴とする。
【００１０】
そして、請求項２に係る発明は、請求項１記載の釣り用バケツに於て、ポケットは、蓋体の裏面に折り曲げ可能な柔軟性を有するシート材を添着して、当該シート材と蓋体との間に収納部を設けてなることを特徴とし、請求項３に係る発明は、請求項１記載の釣り用バケツに於て、ポケットは、蓋体の裏面に折り曲げ可能な柔軟性を有する複数枚のシート材を添着して、当該シート材間に収納部を設けてなることを特徴とする。
【００１１】
（作用）
各請求項に係る発明によれば、釣場まで釣り用バケツを携帯する際に、所要の小物類をポケットに収納したり、バケツ本体内に釣り具類を収納して行けばよい。
そして、釣場で必要に応じてポケットから小物類を取り出せばよく、ポケット内から小物類を総て取り出した場合、或いはポケット内に小物類が残っていても、実釣時に小物類を取り出す必要がなく蓋体を丸めても支障がない場合には、全開状態にして蓋体を丸めておけばよいし、状況に応じ、蓋体を半折りして半開状態で使用してもよく、釣り用バケツ特有の使用状態で、釣りの障害とならないように小物類をポケット内に収納しておくことができる。
【００１２】
【発明の実施の形態】
以下、本発明の実施形態を図面に基づいて詳細に説明する。
図１乃至図７は請求項１及び請求項２の第一実施形態に係る釣り用バケツを示し、図１に於て、２１はエチレン酢酸ビニル，塩化ビニル等の柔軟な合成樹脂シートの端部を溶着や接着等で接合して成形した防水性を有するバケツ本体で、図２に示すようにバケツ本体２１は方形状に成形されて上部に開口部２３が開口し、当該開口部２３の一側に、バケツ本体２１と同一材料で成形された蓋体２５が、同じく合成樹脂シートからなるヒンジ部材２７を介して連結されている。
【００１３】
そして、一対の運搬用のハンドル２９がバケツ本体２１の前側面３１と後側面３３の外側に取り付けられているが、バケツ本体２１の側面上部、即ち、前後側面３１，３３と左右側面３５，３７を構成する合成樹脂シートの上部は、図３及び図４に示すように金属や合成樹脂で成形された平面視矩形状のフレーム３９で外側に折り返されて開口部２３の開口周縁部を形成しており、夫々の折返し片４１は、端部を除き各側面３１，３３，３５，３７の外側にウエルダ加工によって接合されている。そして、各折返し片４１の端部と、蓋体２５の周縁部との間にファスナ４３のテープ４５，４７が縫着されており、図２に示すようにファスナ４３の操作部４９をヒンジ部材２７まで移動させると蓋体２５が全開状態となり、また、図５に示すように操作部４９をハンドル２９間まで移動させると、半開状態で釣り用バケツ５１が使用できるようになっている。
【００１４】
そして、図２に示すようにヒンジ部材２７には、楕円形状に成形されたループ部５３とこれに連設するネック部５５からなるゴム製の保持具５７が取り付けられており、図２の如く全開した蓋体２５を図６に示すようにヒンジ部材２７側に巻回してこれをループ部５３に挿入すれば、蓋体２５が保持具５７によって右側面３７側で保持されるようになっている。
【００１５】
また、図１に示すように蓋体２５表面の左右側面３５，３７側（ヒンジ部材２７側と反ヒンジ部材２７側）には、図５の如く釣り用バケツ５１を半開状態で使用する際に、半折りした蓋体２５をヒンジ部材２７側で保持するフック５９，６１が止着されているおり、ヒンジ部材２７は右側面３７の折返し片４１と蓋体２５との間に取り付けられているため、蓋体２５を開く際にハンドル２９が邪魔にならず、また、フレーム３９によってバケツ本体２１の自立性，強度アップと開口部２３の形状保持が図られている。
【００１６】
而して、本実施形態は、上述の如き構成に加え、図２に示すように蓋体２５の裏面側にシート材６３を添着して、蓋体２５と共に折り曲げ可能なポケット６５を設けたことを特徴とする。
シート材６３は合成樹脂の繊維を編んで形成された網目状のシート材で、通水性，通気性を有している。そして、図２及び図３に示すようにシート材６３は、既述したファスナ４３のテープ４７と共に蓋体２５の外周に沿って糸６６で縫着されており、斯様にシート材６３を蓋体２５の裏面側全面に添着することによって、当該シート材６３と蓋体２５との間に収納部６７を有するポケット６５が形成されている。
【００１７】
但し、図７に示すように蓋体２５をファスナ４３で閉じた時に、シート材６３が周辺に引っ張られ、且つその周縁部が既述したフレーム３９で蓋体２５に押圧されて、ポケット６５がバケツ本体２１内に垂れ下がらないようになっている。
また、糸６６による縫着は蓋体２５に孔が開いてしまうことから、バケツ本体２１内への雨等の浸入を防ぐため、図４に示すように蓋体２５に縫着したシート材６３の縫着部分は、蓋体２５を閉じた際に開口部２３よりも外側となるように設定されている。
【００１８】
そして、図２に示すようにシート材６３には、既述したヒンジ部材２３と反対側に、ファスナ６９が縫着されたポケット６５の開口（出入口）７１が蓋体２５の短寸方向に設けられており、斯様に開口７１をヒンジ部材２３と反対側に設けることで、図５の如き蓋体２５の半開状態での使用時に、開口７１が上を向いて小物類の出入れがし易くなっている。
【００１９】
本実施形態に係る釣り用バケツ５１はこのように構成されており、釣場まで釣り用バケツ５１を携帯する際に、所要の小物類をポケット６５の収納部６７に収納したり、バケツ本体２１内に釣り具類を収納して行けばよい。
そして、釣場でファスナ４３の操作部４９を図２の如くヒンジ部材２７まで移動させて蓋体２５を開ければ、バケツ本体２１の開口部２３が全開状態となり、また、図５の如く操作部４９をハンドル２９間まで移動させて蓋体２５を半折りすれば開口部２３が半開状態となるから、必要に応じてポケット６５から小物類を取り出せばよく、ポケット６５内から小物類を総て取り出した場合、或いはポケット６５内に小物類が残っていても、実釣時に小物類を取り出す必要がなく蓋体２５を丸めても支障がない場合には、図６の如く蓋体２５を丸めて保持具５７で保持しておけばよい。
【００２０】
また、図５の如く蓋体２５を半折りしてフック５９，６１を係合しておけば、半開状態での使用時にポケット６５の開口７１が上を向くため、小物類のポケット６５への出し入れが容易に行えることとなる。
このように本実施形態に係る釣り用バケツ５１によれば、開口部２３を全開状態または半開状態にして撒き餌入れとして使用でき、而も、このような釣り用バケツ特有の使用状態で、釣りの障害とならないように小物類をポケット６５内に収納しておくことができると共に、その出入れも容易で釣果の向上に寄与する利点を有する。
【００２１】
また、ポケット６５を構成するに当たり網目状のシート材６３が使用されているため、濡れた小物類をポケット６５内に収納した場合に小物類が乾き易く、更に視認性に優れた利点を有する。
更にまた、本実施形態によれば、蓋体２５をファスナ４３で閉じた時に、シート材６３が周辺に引っ張られ、且つその周縁部が既述したフレーム３９で蓋体２５に押圧されてポケット６５がバケツ本体２１内に垂れ下がらないように構成させているため、仮に帰路時にバケツ本体２１内が撒き餌等で汚れていても、ポケット６５内に収納された小物類が汚れたバケツ本体２１の内壁や底部に当たって汚れることもない。
【００２２】
尚、図８に示すように既述した開口７１に加え、シート材６３のヒンジ部材２７側に、ファスナ７３が縫着された開口７５を蓋体２５の短寸方向に沿って別途設けておけば、フック５９，６１を係合させて半折りに保持した蓋体２５を二点鎖線の如く側面３７側に垂らしておくことで、釣り用バケツ５１−１を全開状態で使用し乍ら、ポケット６５−１内への小物類の出入れが開口７５から容易に行えることとなる。
【００２３】
従って、この実施形態によれば、更に使い勝手が向上する利点を有する。
図９乃至図１２は請求項１及び請求項２に係る釣り用バケツの第三実施形態を示し、本実施形態は、蓋体の裏面側にシート材を添着して蓋体と共に折り曲げ可能なポケットを設けるに当たり、シート材を蓋体に溶着してポケットを設けたことを特徴とする。
【００２４】
以下、本発明の実施形態を図面に基づいて説明するが、既述した第一，第二実施形態と同一のものは同一符号を付してそれらの構造説明は省略する。
図１０及び図１１に於て、７７は通水性のない合成樹脂で成形された透明または不透明なシート材で、図示するように当該シート材７７は、その周縁部が蓋体２５の外周に沿って溶着されており、斯様にシート材７７を蓋体２５の裏面側に添着して、当該シート材７７と蓋体２５との間に収納部７９を有するポケット８１が形成されている。
【００２５】
そして、本実施形態に於ても、図９の如く蓋体２５をファスナ４３で閉じた時に、シート材７７が周辺に引っ張られ、且つその周縁部がバケツ本体２１のフレーム３９で蓋体２５に押圧されて、ポケット８１がバケツ本体２１内に垂れ下がらないようになっている。
また、図１１及び図１２に示すように蓋体２５に溶着したシート材７７の溶着部分は、蓋体２５を閉じた際に開口部２３よりも外側となるように設定されているが、糸による縫着と異なり、溶着の場合は蓋体２５に孔を開けずにシート材７７を添着することができるため、溶着位置は自由に設定可能である。
【００２６】
そして、図１０に示すようにシート材７７には、既述したポケット６５と同様、ヒンジ部材２３と反対側にファスナ６９が縫着されたポケット８１の開口８３が蓋体２５の短寸方向に設けられており、斯様に開口８３をヒンジ部材２３と反対側に設けることで、本実施形態に於ても、図５と同様な蓋体２５の半開状態での使用時に、開口８３が上を向いて小物類の出入れがし易くなっている。
【００２７】
また、図１３に示す釣り用バケツ５１−３は、上述した第三実施形態の構成に加え、既述した第二実施形態と同様、シート材７１のヒンジ部材２７側に別途ファスナ７３が縫着された開口８５を開口８３に沿って設けたもので、半折りした蓋体２５を二点鎖線の如く側面３７側に垂らしておくことで、ポケット８１−１内への小物類の出入れが開口８５から容易に行うことができるようになっている。
【００２８】
而して、これらの各実施形態に係る釣り用バケツ５１−２，５１−３によっても、既述した釣り用バケツ５１，５１−１と同様、夫々、所期の目的を達成することが可能である。
また、これらの実施形態では、通水性のない蓋体２５及び通水性のないシート材７７を用いて両者を水が通らないように溶着してポケット８１，８１−１を形成したことで、ポケット８１，８１−１内に収納した小物類が濡れることがない利点を有する。
【００２９】
図１４は請求項１及び請求項３の一実施形態に係る釣り用バケツの断面図を示し、本実施形態は、２枚の既述したシート材７７を重ねてこれらの周縁部を溶着または縫着することで、両シート材７７間に収納部８７を有するポケット８９を形成したもので、図示するようにシート材７７はバケツ本体２１の開口部２３よりも小さく裁断されており、蓋体２５側のシート材７７の表面四隅にフック９１が止着され、また、これらに対応して蓋体２５の裏面側にフック９３が止着されている。そして、これらのフック９１，９３を係脱することで、ポケット８９を蓋体２５に取り付けたり、蓋体２５から取り外すことができるようになっている。
【００３０】
そして、他方のシート材７７には、既述した各実施形態と同様、ファスナが止着された開口（図示せず）が形成されており、その他の構成は既述した各実施形態と同様であるので、同一のものには同一符号を付してそれらの説明は省略する。
而して、本実施形態に係る釣り用バケツ５１−４によっても、既述した各実施形態と同様、所期の目的を達成することが可能であり、また、ポケット８９が蓋体２５に対して着脱自在に構成されているため、不要な時にはポケット８９を蓋体２５から取り外しておけばよいし、また、小物類を収納したポケット８９を取り外してこれを釣服のポケット等に入れておく等、適宜状況に応じた使用ができる利点を有する。
【００３１】
尚、上記シート材７７に代え、例えば図２の網目状のシート材６３を用いて上述の如き着脱自在なポケットを形成してもよいことは勿論である。
【００３２】
【発明の効果】
以上述べたように、各請求項に係る釣り用バケツによれば、開口部を全開状態または半開状態にして撒き餌入れとして使用でき、而も、このような釣り用バケツ特有の使用状態で、釣りの障害とならないように小物類をポケット内に収納しておくことができると共に、その出入れも容易で釣果の向上に寄与する利点を有する。
【００３３】
そして、ポケットを構成するに当たり、通水性，通気性のあるシート材を使用すれば、濡れた小物類をポケット内に収納した場合に小物類が乾き易く、また、通水性のないシート材を用いることで、ポケット内に収納した小物類が濡れることがない利点を有する。更にまた、網目状のシート材や透明なシート材の如く視認性に優れたシート材を用いることで、ポケット外部からの小物類の確認がし易くなる。
【図面の簡単な説明】
【図１】蓋体を閉じた請求項１及び請求項２の第一実施形態に係る釣り用バケツの全体斜視図である。
【図２】蓋体を全開状態にした釣り用バケツの全体斜視図である。
【図３】蓋体を開いた釣り用バケツの要部拡大断面図である。
【図４】蓋体を閉じた釣り用バケツの要部拡大断面図である。
【図５】蓋体を半開状態にした釣り用バケツの全体斜視図である。
【図６】蓋体を全開状態にした釣り用バケツの全体斜視図である。
【図７】釣り用バケツの断面図である。
【図８】蓋体を全開状態にした請求項１及び請求項２の第二実施形態に係る釣り用バケツの全体斜視図である。
【図９】蓋体を閉じた請求項１及び請求項２の第三実施形態に係る釣り用バケツの全体斜視図である。
【図１０】蓋体を全開状態にした釣り用バケツの全体斜視図である。
【図１１】蓋体を開いた釣り用バケツの要部拡大断面図である。
【図１２】蓋体を閉じた釣り用バケツの要部拡大断面図である。
【図１３】蓋体を全開状態にした請求項１及び請求項２の第四実施形態に係る釣り用バケツの全体斜視図である。
【図１４】請求項１及び請求項３の一実施形態に係る釣り用バケツの断面図である。
【図１５】従来のびくの全体斜視図である。
【符号の説明】
２１  バケツ本体
２３  開口部
２５  蓋体
２７  ヒンジ部材
２９  ハンドル
４３，６９，７３  ファスナ
５１，５１−１，５１−２，５１−３，５１−４  釣り用バケツ
５７  保持具
５９，６１，９１，９３  フック
６３，７７  シート材
６５，６５−１，８１，８１−１，８９  ポケット
６７，７９，８７  収納部
７１，７５，８３  開口
【図１】
2004267142.tif 000003
【図２】
2004267142.tif 000004
【図３】
2004267142.tif 000005
【図４】
2004267142.tif 000006
【図５】
2004267142.tif 000007
【図６】
2004267142.tif 000008
【図７】
2004267142.tif 000009
【図８】
2004267142.tif 000010
【図９】
2004267142.tif 000011
【図１０】
2004267142.tif 000012
【図１１】
2004267142.tif 000013
【図１２】
2004267142.tif 000014
【図１３】
2004267142.tif 000015
【図１４】
2004267142.tif 000016
【図１５】
2004267142.tif 000017